(57)【特許請求の範囲】
【請求項１】
前面部に鍵挿入口が形成された筒状のケースと、該ケース内の後方部に設けられ前端面から後端面に貫通した嵌挿孔が穿設された固定体と、該嵌挿孔に回転部の後端面中央部から延設された錠軸が嵌挿され、固定体の前端面と回転部の後端面が摺接し錠軸の軸線を中心として回転可能な回転体と、回転部の軸線を中心とした円周上に穿設された所定数の貫通ピン孔に各々挿入されたコードピンと、固定体に前記貫通ピン孔と連通するように同数穿設されたピン挿入孔に各々付勢されて挿入されたアンダーピンと、固定体の軸線を中心とした前記円周と同一半径の円周上に穿設された貫通孔に挿入された戻しピンとを有し、前記固定体および／またはケースの外側面から突出して係合突部が形成されてなるピンタンブラー錠と、該ピンタンブラー錠を合致して収容し前記係合突部を案内する案内溝が軸線と平行に形成された筒状の内側壁を有し、前記係合突部を係止する所定長さの切欠窓が案内溝と直交して形成された前方部と、前記固定体の後端面との摺接面を有し軸線を中心とした開口孔と前記貫通孔に連通するようにピン孔が穿設された後方部と、該ピン孔に付勢されて挿通されたストッパーピンとからなるベースとを具備するピンタンブラー錠装置において、
前記ベース後方部には、該後方部の後端からベースの軸線と平行で前記ピン孔に達する所定長さのガイド用スリットが形成され、
前記ストッパーピンの側方に強制後退用爪部が突設され、該強制後退用爪部が前記ガイド用スリットに沿って摺動可能とされてなることを特徴とするピンタンブラー錠装置。
【請求項２】
前面部に鍵挿入口が形成された筒状のケースと、該ケース内の後方部に設けられ前端面から後端面に貫通した嵌挿孔が穿設された固定体と、該嵌挿孔に回転部の後端面中央部から延設された錠軸が嵌挿され、固定体の前端面と回転部の後端面が摺接し錠軸の軸線を中心として回転可能な回転体と、回転部の軸線を中心とした円周上に穿設された所定数の貫通ピン孔に各々挿入されたコードピンと、固定体に前記貫通ピン孔と連通するように同数穿設されたピン挿入孔に各々付勢されて挿入されたアンダーピンと、固定体の軸線を中心とした前記円周と同一半径の円周上に穿設された貫通孔に挿入された戻しピンとを有し、前記固定体および／またはケースの後端から外側面に軸線と平行な第１溝部とこれに直交する所定長さの第２溝部が連接された係合溝が形成されてなるピンタンブラー錠と、該ピンタンブラー錠を合致して収容し前記係合溝に係合する突状部が半径方向に突出して形成された筒状の内側壁を有する前方部と、前記固定体の後端面との摺接面を有し軸線を中心とした開口孔と前記貫通孔に連通するようにピン孔が穿設された後方部と、該ピン孔に付勢されて挿通されたストッパーピンとからなるベースとを具備するピンタンブラー錠装置において、
前記ベース後方部には、該後方部の後端からベースの軸線と平行で前記ピン孔に達する所定長さのガイド用スリットが形成され、
前記ストッパーピンの側方に強制後退用爪部が突設され、該強制後退用爪部が前記ガイド用スリットに沿って摺動可能とされてなることを特徴とするピンタンブラー錠装置。
【請求項３】
前記ベース後方部の後端部から、取着用フランジが半径方向外側に張り出し形成されてなることを特徴とする請求項１または２記載のピンタンブラー錠装置。
【請求項４】
前記ベース後方部の後端部が、延長筒との接続用小径段部とされるとともに、前記ガイド用スリットが前記小径段部に形成されていることを特徴とする請求項１または２記載のピンタンブラー錠装置。
【発明の詳細な説明】
【技術分野】
【０００１】
この発明は、ピンタンブラー錠をベースと分離可能としたピンタンブラー錠装置に関するものである。さらに詳しくは、この発明は、例えば、パチンコ機、パチスロ機のような遊技機等の扉に取り付けられていたピンタンブラー錠装置を取り外し、ベースとピンタンブラー錠を分離し、分離されたピンタンブラー錠を継続利用できるピンタンブラー錠装置に関するものである。
【背景技術】
【０００２】
コードピンが円周上に配設されたピンタンブラー錠は、鍵の偽造が困難なことから多用されている。そして、通常の錠と同様に、個々のピンタンブラー錠には、それぞれに対応した固有の鍵が使用され、他のピンタンブラー錠の鍵では解錠や施錠ができないようになっているのが一般的である。しかし、パチンコ機やパチスロ機のような遊技機等の扉に取り付けるピンタンブラー錠において、個々のピンタンブラー錠に対応したそれぞれの鍵を備えることは、管理者が機械の台数だけ鍵を所持し、解錠等をする度に、多数の鍵の中から必要な鍵を選択することになり、余りに煩雑であって実用的でない。
【０００３】
そのため、遊技機メーカー毎に共通の鍵（共通キー）で解錠できるピンタンブラー錠を使用するようにして、鍵の管理を簡便化している。
この場合、同一メーカーの遊技機では、共通キーが同じであることから、共通キーを用いれば、別の店舗に設置された同一メーカーの遊技機を解錠できることになり、防犯上、大きな問題となる。
【０００４】
そこで、店舗毎に専用の共通キーを設定し、その店舗に設置されている全ての遊技機から、メーカーが予め遊技機に取着していたピンタンブラー錠（メーカー錠）を取り外し、その店舗の共通キーに対応したピンタンブラー錠（ホール用共通錠）と交換し、取り外したメーカー錠は、別途保管しておくことが通常行われている。こうすることにより、各店舗に設置された全ての遊技機は、店舗毎に設定された専用の共通キーでのみ解錠できることになり、鍵の管理や保管が簡素化されることに加え、他の店舗の共通キーで解錠される恐れがなく、防犯上の問題も解決される。
【０００５】
ところで、遊技機は、店舗での入れ替えが頻繁に行われることから、新たに導入する遊技機に取着されているメーカー錠を取り外し、その店舗で使用される共通キーに対応したホール用共通錠に交換することが必要となる。撤去する遊技機は、取着されていたホール用共通錠が取り外され、別途保管されていたメーカー錠が付け直され、中古品等として適宜処分されることになる。撤去する遊技機から取り外されたホール用共通錠と新たに導入される遊技機のメーカー錠の形状等が同じで、そのまま取着できる場合は別として、メーカー錠は、メーカー、機種等によって形状が微妙に異なることが殆どであり、新たに導入される遊技機に相応し自店舗専用の共通キーに対応するホール用共通錠を、遊技機の導入の度に購入することになる。その場合、撤去する遊技機から取り外した使用済みのホール用共通錠は、将来、それに合致した遊技機が導入されるまで、保管するか、または、不要品として廃棄することになる。
【０００６】
このように、遊技機を新たに導入する度に、それに相応したホール用共通錠を購入することは、その費用が相当な額となる。一方、遊技機の入れ替えに伴い取り外して保管することとなったホール用共通錠は、何時再利用できるか分からないまま、紛失等しないように管理する必要があり、また、再利用可能で破損もしていないホール用共通錠を廃棄物として処理することは無駄であり、廃棄に際し、自店舗で使用している共通キーのコードが他人に知られたり、解析されたりしないように十分な注意が必要となる。
上述したメーカー錠やホール用共通錠として使用されているピンタンブラー錠は、扉等への取着部を一体として備えたものであることが一般的であった。
【０００７】
ところで、この発明の発明者は、ピンタンブラー錠を、これと別体のベース内に収容して使用でき、必要に応じベースの表側からピンタンブラー錠を分離し、別のピンタンブラー錠をベースの表側から交換できるようにしたピンタンブラー錠装置を提案している（例えば、特許文献１参照）。
【特許文献１】特開２０００−６４６７５号公報
【発明の開示】
【発明が解決しようとする課題】
【０００８】
特許文献１に記載のピンタンブラー錠装置は、通常操作用の鍵に加え、ピンタンブラー錠の分離操作に使用する第１鍵と第２鍵を備えており、通常操作用の鍵によって解錠等を行い、通常操作用の鍵が紛失、盗難等に遭った場合には、遊技機の扉等に取着した状態で、第１鍵と第２鍵を操作して遊技機の表側からピンタンブラー錠をベースから分離し、別のピンタンブラー錠と交換することが可能で、ピンタンブラー錠装置全体を交換することなく不正操作等を防止できるといった利点が得られる。
この発明の発明者は、特許文献１に記載のピンタンブラー錠装置を取着した遊技機を撤去して新たな遊技機を導入するに当たり、取り外したピンタンブラー錠装置からピンタンブラー錠を分離して自店舗用のホール用共通錠として継続して再使用することとし、新たに導入する遊技機に取着されているメーカー錠の形状に相応するベースを用意し、これに分離したピンタンブラー錠を収容して使用すれば、遊技機の入れ替えにおいて、ベースを購入するだけで済み、錠の交換に要する費用を低減できることになるとの着想に到達した。
【０００９】
しかしながら、特許文献１に記載のピンタンブラー錠装置においては、ベースからホール用共通錠を分離するには、第１鍵と第２鍵を操作する必要があり、通常、入れ替える遊技機が１、２台の如く少数ではなく、多数に及ぶことから、煩雑で、相当な手間と時間を要することになる。
【００１０】
この発明は、上記のような着想を基に更に鋭意研究の結果創案されたものであり、遊技機から取り外したピンタンブラー錠装置から、ピンタンブラー錠を、第１鍵、第２鍵を使用しないでも、迅速かつ容易に分離することのできるピンタンブラー錠装置を提供することを目的としている。
【課題を解決するための手段】
【００１１】
上記課題を解決するために、この発明は、（１）前面部に鍵挿入口が形成された筒状のケースと、該ケース内の後方部に設けられ前端面から後端面に貫通した嵌挿孔が穿設された固定体と、該嵌挿孔に回転部の後端面中央部から延設された錠軸が嵌挿され、固定体の前端面と回転部の後端面が摺接し錠軸の軸線を中心として回転可能な回転体と、回転部の軸線を中心とした円周上に穿設された所定数の貫通ピン孔に各々挿入されたコードピンと、固定体に前記貫通ピン孔と連通するように同数穿設されたピン挿入孔に各々付勢されて挿入されたアンダーピンと、固定体の軸線を中心とした前記円周と同一半径の円周上に穿設された貫通孔に挿入された戻しピンとを有し、前記固定体および／またはケースの外側面から突出して係合突部が形成されてなるピンタンブラー錠と、該ピンタンブラー錠を合致して収容し前記係合突部を案内する案内溝が軸線と平行に形成された筒状の内側壁を有し、前記係合突部を係止する所定長さの切欠窓が案内溝と直交して形成された前方部と、前記固定体の後端面との摺接面を有し軸線を中心とした開口孔と前記貫通孔に連通するようにピン孔が穿設された後方部と、該ピン孔に付勢されて挿通されたストッパーピンとからなるベースとを具備するピンタンブラー錠装置において、前記ベース後方部には、該後方部の後端からベースの軸線と平行で前記ピン孔に達する所定長さのガイド用スリットが形成され、前記ストッパーピンの側方に強制後退用爪部が突設され、該強制後退用爪部が前記ガイド用スリットに沿って摺動可能とされてなることを特徴とする。
【００１２】
また、（２）前面部に鍵挿入口が形成された筒状のケースと、該ケース内の後方部に設けられ前端面から後端面に貫通した嵌挿孔が穿設された固定体と、該嵌挿孔に回転部の後端面中央部から延設された錠軸が嵌挿され、固定体の前端面と回転部の後端面が摺接し錠軸の軸線を中心として回転可能な回転体と、回転部の軸線を中心とした円周上に穿設された所定数の貫通ピン孔に各々挿入されたコードピンと、固定体に前記貫通ピン孔と連通するように同数穿設されたピン挿入孔に各々付勢されて挿入されたアンダーピンと、固定体の軸線を中心とした前記円周と同一半径の円周上に穿設された貫通孔に挿入された戻しピンとを有し、前記固定体および／またはケースの後端から外側面に軸線と平行な第１溝部とこれに直交する所定長さの第２溝部が連接された係合溝が形成されてなるピンタンブラー錠と、該ピンタンブラー錠を合致して収容し前記係合溝に係合する突状部が半径方向に突出して形成された筒状の内側壁を有する前方部と、前記固定体の後端面との摺接面を有し軸線を中心とした開口孔と前記貫通孔に連通するようにピン孔が穿設された後方部と、該ピン孔に付勢されて挿通されたストッパーピンとからなるベースとを具備するピンタンブラー錠装置において、前記ベース後方部には、該後方部の後端からベースの軸線と平行で前記ピン孔に達する所定長さのガイド用スリットが形成され、前記ストッパーピンの側方に強制後退用爪部が突設され、該強制後退用爪部が前記ガイド用スリットに沿って摺動可能とされてなることを特徴とする。
【００１３】
前記（１）または（２）において、前記ベース後方部の後端部から、取着用フランジが半径方向外側に張り出し形成されてなる構造であってもよいし、または、
前記ベース後方部の後端部が、延長筒との接続用小径段部とされるとともに、前記ガイド用スリットが前記小径段部に形成されている構造であってもよい。
【発明の効果】
【００１４】
この発明は、以上説明したように構成されているので、以下に記載されるような効果を奏する。
すなわち、前記（１）の構成、（２）の構成によれば、概略、遊技機の入れ替えにおいて、撤去する遊技機からピンタンブラー錠装置を取り外し、強制後退用爪部を利用して、ストッパーピンを後退させることで、ピンタンブラー錠をベースに対し回動可能な状態とし、次いで、ピンタンブラー錠を所定方向に回動することで、ベースとピンタンブラー錠を第１鍵、第２鍵を使用しないで、迅速かつ容易に分離することができる。分離されたピンタンブラー錠は、新たに導入する遊技機に取着されているメーカー錠（以下、「メーカー錠」は、扉等への取着部が一体となったものを意味する。）の形状に相応するベースを別途用意し、これに収容して使用することで、ベースを購入するだけで済み、錠の交換に要する費用を低減できることになる。
【００１５】
さらに詳述する。
前記（１）の構成によれば、撤去する遊技機から取り外したピンタンブラー錠装置において、ベースとピンタンブラー錠を分離するには、以下のようにして行えばよい。
先ず、強制後退用爪部に指の爪を引っかけたり、ドライバー等の工具を用いたりして、戻しピンの後端とストッパーピンの先端とが当接した状態から、ストッパーピンをその先端が固定体の後端面およびベースの後方部の摺接面よりも後方位置までストッパーピンへの付勢力に抗し後退させる。そうすると、ピンタンブラー錠は、固定体の後端面でベースの後方部の摺接面に摺接して回転可能な状態となる。そこで、例えば、錠軸を利用して、ピンタンブラー錠をその軸線を中心に反時計方向に回動させると、その係合突部は前記ベースの切欠窓に沿って摺動する。これにより、ピンタンブラー錠とベースとの結合が解除されることになる。この状態となると、強制後退用爪部から指または工具を外しても、ピンタンブラー錠は引き続き回動させることができ、その係合突部がベースの案内溝に沿って摺動できる位置にまで回動させる。次いで、例えば、錠軸を利用してピンタンブラー錠を前方に押すと、ピンタンブラー錠はベースの案内溝に沿ってその軸線方向に摺動し、ベースから分離される。
【００１６】
ベースから分離されたピンタンブラー錠を、別途用意された新たに導入する遊技機に取着されているメーカー錠の形状に相応するベースに収容して、新たに導入する遊技機に使用するピンタンブラー錠装置とするには、以下のようにして組み立てる。
先ず、ピンタンブラー錠の係合突部をベースの案内溝に係合させ、ピンタンブラー錠を軸線方向に摺動させ、ベースの開口孔に錠軸を挿入しつつ、固定体の後端面とベースの後方部の摺接面とを当接させる。そうすると、ストッパーピンの先端は、固定体の後端面に押圧されてベースの後方部の摺接面の位置まで後退する。次いで、ピンタンブラー錠を軸線を中心に、例えば、時計方向に一体的に所定角度回動させて固定体の後端面とベースの後方部の摺接面とを摺接させつつ係合突部を切欠窓に沿って摺動させ、固定体の戻しピンの挿通された貫通孔とベースのピン孔とを連通させると、ストッパーピンへの付勢力によりストッパーピンの先端部が前記貫通孔に侵入することになる。
【００１７】
これにより、ピンタンブラー錠がベースに結合され、新たに導入する遊技機に適したピンタンブラー錠装置を組み立てることができる。
そして、このようにして組み立てられたピンタンブラー錠装置を、新たに導入する遊技機に取着されていたメーカー錠を取り外して交換すればよい。
このように、撤去する遊技機に取着されているピンタンブラー錠装置のピンタンブラー錠を新たに導入する遊技機のピンタンブラー錠として継続して再使用でき、新たに導入する遊技機に適したベースを別途購入すればよく、安価となる。
【００１８】
前記（２）の構成によれば、撤去する遊技機から取り外したピンタンブラー錠装置において、ベースとピンタンブラー錠を分離するには、以下のようにして行えばよい。
先ず、強制後退用爪部に指の爪を引っかけたり、ドライバー等の工具を用いたりして、戻しピンの後端とストッパーピンの先端とが当接した状態から、ストッパーピンをその先端が固定体の後端面およびベースの後方部の摺接面よりも後方位置までストッパーピンへの付勢力に抗し後退させる。そうすると、ピンタンブラー錠は、固定体の後端面でベースの後方部の摺接面に摺接して回転可能な状態となる。そこで、例えば、錠軸を利用して、ピンタンブラー錠をその軸線を中心に反時計方向に回動させると、その係合溝の第２溝部が前記ベースの突条部と係合しつつ摺動する。これにより、ピンタンブラー錠とベースとの結合が解除されることになる。この状態となると、強制後退用爪部から指または工具を外しても、ピンタンブラー錠は引き続き回動させることができ、その第１溝部が前記ベースの突条部と係合してベースの軸線方向に沿って摺動できる位置にまでを回動させる。次いで、例えば、錠軸を利用してピンタンブラー錠を前方に押すと、ピンタンブラー錠はその第１溝部が前記ベースの突条部と係合してベースの軸線方向に沿って摺動し、ベースから分離される。
【００１９】
ベースから分離されたピンタンブラー錠を、新たに導入する遊技機に取着されているメーカー錠の形状に相応するものとして別途用意されたベースに収容して、新たに導入する遊技機に使用するピンタンブラー錠装置とするには、以下のようにして組み立てる。
先ず、ピンタンブラー錠の係合溝の第１溝部をベースの突条部に係合させ、ピンタンブラー錠を軸線方向に摺動させ、ベースの開口孔に錠軸を挿入しつつ、固定体の後端面とベースの後方部の摺接面とを当接させる。そうすると、ストッパーピンの先端は、固定体の後端面に押圧されてベースの後方部の摺接面の位置まで後退する。次いで、ピンタンブラー錠を軸線を中心に、例えば、時計方向に一体的に所定角度回動させて固定体の後端面とベースの後方部の摺接面とを摺接させつつ第２溝部に前記突条部を係合させて摺動させ、固定体の戻しピンの挿通された貫通孔とベースのピン孔とを連通させると、ストッパーピンへの付勢力によりストッパーピンの先端部が前記貫通孔に侵入することになる。
【００２０】
これにより、ピンタンブラー錠がベースに結合され、新たに導入する遊技機に適したピンタンブラー錠装置を組み立てることができる。
そして、このようにして組み立てられたピンタンブラー錠装置を、新たに導入する遊技機に取着されていたメーカー錠を取り外して交換すればよい。
このように、撤去する遊技機に取着されているピンタンブラー錠装置のピンタンブラー錠を新たに導入する遊技機のピンタンブラー錠として継続して再使用でき、新たに導入する遊技機に適したベースを別途購入すればよく、安価となる。
また、この発明のピンタンブラー錠装置は、構造もシンプルであり、安価に提供できる。
【発明を実施するための最良の形態】
【００２１】
以下、発明を実施するための最良の形態を示し、さらに詳しくこの発明について説明する。もちろんこの発明は以下の実施の形態によって限定されるものではない。
図１は、この発明のピンタンブラー錠装置の実施の一形態を示す縦断面図であり、図２は平面図、図３は図１のＡ−Ａ線断面図、図４は分解斜視図、図５は正面図、図６は左側面図、図７は底面図である。
【００２２】
ピンタンブラー錠装置１として、シリンダー状のピンタンブラー錠２、該ピンタンブラー錠を収容し結合するベース３、および、ピンタンブラー錠に連結されるジョイント４が図示されている。
図に示されるように、ピンタンブラー錠２は、筒状のケース５、該ケース５内の後方部に固定された固定体６、該固定体６に支持されてケース５内で回転できるようにされた回転体７とを備えている。
【００２３】
ケース５の前面部には、ケース周縁から鍵挿入口８までの内向きフランジ部９が形成されており、該フランジ部９の一部に鍵の突部の通過を可能とする凹部１１が形成されている。前記フランジ部の後面は後述するコードピン１０の先端が当接するストッパーとしての機能を果たすものである。ケース５の内側壁の前記フランジ部寄りには環状の段部が突出して形成され、回転体７の軸線方向への移動が規制されている。また、ケース５の後方部内側には、図３に示されるように後端から所定深さのガイド溝１２、１２が軸線と平行に対向してそれぞれ形成されている。
【００２４】
ケース５内の後方部には、固定体６の前方部が挿入され、固定ピン１３によってケース５に一体に固定されている。固定体６のケース５内への挿入は、固定体６の前方部の外側面に前端面周縁から軸線と平行に対向してそれぞれ突設された所定長さの突条１４、１４を、前記ケース５の内側後方部に設けられたガイド溝１２、１２に沿って案内することで行われ、固定体６の後方部が露出した所定の位置で固定される。固定体６の後方部の外側面には後述するベースの切欠窓に係合する係合突部１５、１５が対向してそれぞれ半径方向に突設されている。
【００２５】
固定体６には、前端面の中央部から後端面に向かう嵌挿孔１６が穿設され、該嵌挿孔１６に、大径で短円柱状の回転部１７の後端面中央部から後方に延出された錠軸１８が嵌挿され、固定体６の前端面と回転部１７の後端面とが摺接し回転可能となっている。回転部１７の前端面中央部から前方に鍵係合部１９が突設されており、該鍵係合部１９には鍵を係合させる切欠凹溝２０が形成されている。
【００２６】
回転体７の回転部１７には、軸線を中心とした所定半径の円周上に貫通ピン孔２１が、例えば、該円周を６等分（すなわち、６０度間隔）した位置のうち第１の位置を除き第２〜第６の位置において軸線に平行に穿設され、これらの各貫通ピン孔２１にはそれぞれコードピン１０Ａ〜１０Ｅが挿入されている。従って、図から明らかなように第１の位置である回転部１７の鍵係合部１９の切欠凹溝２０近傍の位置には貫通ピン孔は穿設されていない。各コードピンの長さは、鍵に設けるピン押圧用のカム溝に応じて設定されている。
【００２７】
固定体６には、軸線を中心とし前記回転部１７に穿設された貫通ピン孔２１と同一半径の円周上で、該円周を６等分した位置のうち第１の位置を除き第２〜第６の位置において、有底のピン挿入孔２２が軸線と平行に穿設され、これらの各ピン挿入孔２２にはそれぞれコイルバネ２３とアンダーピン２４Ａ〜２４Ｅが挿入されている。アンダーピン２４はコイルバネ２３によって前方に付勢されており、アンダーピン２４を介しコードピン１０が前方に突出し、ケースの内向きフランジ部９の後面にコードピン１０の先端が当接した状態となる。各アンダーピンの長さは通常同一とされ、その下部には脚部が設けられ、脚部の周囲にコイルバネ２３が装着されている。脚部の長さは、鍵が鍵挿入口８から挿入されてコードピンが押し込まれ、コードピンの後端とアンダーピンの先端との位置が回転部１７の後端面と固定体６の前端面の摺接位置に一致するような位置となるのに支障のないように設定されている。なお、前記ピン挿入孔は有底に限られず、固定体６の後端面にまで貫通しているものであってもよく、このような場合には、例えば、ピン挿入孔は固定体の前端面から中間部までを大径部とし、中間部から後方を小径部としコイルバネを受け止める段部を設けるようにすればよい。
【００２８】
そして、固定体６に穿設されたピン挿入孔と同一円周上にある前記第１の位置においては、貫通孔２５が軸線と平行に穿設され、該貫通孔２５にはコイルバネ２６とともに戻しピン２７が挿入されている。該貫通孔２５は前端面から中間部までを大径部とし中間部より後方は小径部としてコイルバネ２６を受け止める段部が形成され、貫通孔２５から戻しピン２７が抜け落ちないようになっている。貫通孔２５の小径部には、戻しピン２７の脚部が挿通されている。
【００２９】
回転部１７の後端面と固定体６の前端面とが摺接して回転することが容易なようにアンダーピンと戻しピンの先端は略半球状に加工されている。
【００３０】
錠軸１８の後端部は角柱部とされ、ジョイント４の基端部に形成された凹部と連結できるようになっている。角柱部には縦溝が形成され、ジョイント４の基端部の凹部に設けられた縦突条を縦溝に合致させて角柱部を凹部に嵌合させ、回転体７とジョイント４とを所定の角度で連結することができる。
【００３１】
ベース３は、前方部３０と後方部３１とが一体となっている。前方部３０は筒状で、ピンタンブラー錠２を合致して収容する筒状の内側壁が形成されるとともに、ピンタンブラー錠２の係合突部１５、１５を案内して所定の位置においてピンタンブラー錠２をベース３に係合させる構造となっており、後方部３１はピンタンブラー錠２とベース３との結合をロックするピン機構とジョイント４を挿通する開口孔３２を備えている。なお、図９はベース３の断面図である。
【００３２】
前方部３０の内側壁下方には内側に突出した環状の段部が設けられ、該段部には軸線と平行な案内溝３３、３３が対向して形成されている（図８参照）。前方部３０には、案内溝の後端から連続し案内溝に直交して時計方向に延びる切欠窓３４、３４がそれぞれ形成されている（図４、図９参照）。従って、ピンタンブラー錠２の係合突部１５、１５を案内溝３３、３３に沿って摺動させて、切欠窓３４、３４の位置にまで到達させ、次いで、時計方向に回動させると係合突部１５が切欠窓３４に沿って摺動し、係合突部の端縁と切欠窓の端縁とで係合することとなる。係合突部の幅は相違し、これに対応する案内溝の幅も相違しており、ピンタンブラー錠の係合突部を案内溝に挿入する方向が決定され、ピンタンブラー錠をベースに結合させる際の方向が容易に判別できるようになっている。
【００３３】
後方部３１には軸線を中心とした開口孔３２が穿設され、該開口孔３２に前記したジョイント４が挿通されている。ジョイント４は、大径部とそれに接続する小径部とからなり、開口孔３２は、ジョイント４の形状に合致した大径孔部とそれに接続した小径孔部の２段となっている。ジョイント４の後端部は、後方部３１から突出し、外側面が軸と平行に切り欠かれるとともに軸方向に雌ネジ孔が設けられ、適宜のロック機構の部材（例えば、パチンコ機やパチスロ機においては、施錠装置に用いるカム板等）を所定の方向に位置決めしてネジ固定できるようになっている。なお、ジョイント４は、別途、その小径部の長さの異なったものを種々製造しておき、後述するように、新たに遊技機を導入する際に採用するベースの長さに応じて、その小径部の長さの異なったものと入れ替えることができるようにすればよい。
開口孔３２の近傍にはピン孔３６が軸線と平行に穿設され、該ピン孔３６は後方部の摺接面から中間部までは小径部となり、中間部から後端面までは大径部となっており、ピン孔３６の後方部は雌ネジが形成されている。
【００３４】
ピン孔３６には、後方部３１の後端面側から前部が小径で後部が大径のストッパーピン３７がコイルバネ３８とともに挿入され、ピン孔３６の後方部に形成された雌ネジに止めネジ３９を螺合させ、ストッパーピン３７が前方に突出するようにコイルバネ３８によって付勢されている。
ピン孔３６は、ピンタンブラー錠２がベース３に結合された状態において、固定体６の貫通孔２５に連通する位置に設けられている。ピンタンブラー錠２の係合突部１５、１５が前記したように案内溝３３、３３に沿って軸線方向に摺動し、切欠窓３４、３４の位置にまで到達すると、固定体６の後端面が後方部３１の摺接面と当接し、ストッパーピン３７が後方に押し戻される。そして、ピンタンブラー錠２を時計方向に回動させ、係合突部１５を切欠窓３４に沿って摺動させ、固定体６の貫通孔２５と後方部３１のピン孔３６とが連通する位置に到達すると、ストッパーピン３７の先端部がコイルバネ３８の付勢力により貫通孔２５に侵入し、ストッパーピン３７の先端が戻しピン２７の後端に当接してピンタンブラー錠２の回動が阻止され、ピンタンブラー錠２がベース３に結合した状態となる（図１参照）。
【００３５】
ベース３の後方部３１には、その後端からピン孔３６の大径部先端よりもやや前方側にまで到る軸線と平行な縦溝３５ａが形成されている。該縦溝３５ａの底には、後方部３１の後端からベース３の軸線と平行でピン孔３６の大径部に達し、大径部の先端までに到るガイド用スリット３５ｂが形成されている。
【００３６】
ストッパーピン３７には、その大径部３７ａから側方に強制後退用爪部３７ｂが突設されている。強制後退用爪部３７ｂは、前記ガイド用スリット３５ｂに沿って、滑動できる横幅となっており、縦幅はほぼストッパーピン３７の大径部３７の長さに等しく、突設高さは、ベース３の後方部３１から外側に突出しないように設定されている（ストッパーピン３７の構造については、図１０を参照）。
【００３７】
図１に示すピンタンブラー錠２がベース３に結合した状態、すなわち、ストッパーピン３７の先端部がコイルバネ３８の付勢力により貫通孔２５に侵入した状態において、強制後退用爪部３７ｂの先端と縦溝３５ａの先端との間には、適宜の工具、例えば、ドライバー等の先端部が挿入できる程度の間隙が形成されるように設定されている。図６では、このベースの後方部３１に形成された縦溝３５ａとガイド用スリット３５ｂは、横幅が同じとなっているが、これに限られず、縦溝３５ａの横幅がガイド用スリット３５ｂの横幅よりも大きくてもよい。このように、縦溝３５ａの横幅がガイド用スリット３５ｂの横幅よりも大きい場合は、強制後退用爪部３７ｂを指の爪で後退させることができるように指の爪が入る程度の横幅とすることが好ましい。また、図６に示す構造において、縦溝３５ａの左右を所定幅分削り落としてベースに平坦部を形成し、強制後退用爪部３７ｂの頂部をベース３から露出させるようにしてもよく、このようにすれば指で引っ掛け易くなり、強制後退用爪部３７ｂの後退を容易とすることができる（平坦部については、図３０を参照）。
【００３８】
ガイド用スリット３５ｂは、工具を強制後退用爪部３７ｂの先端に係止し、コイルバネ３８の付勢力に抗しストッパーピン３７を後退させると、ストッパーピン３７の先端が貫通孔２５に侵入し戻しピン２７の後端と当接した図１に示す状態から、ストッパーピン３７をその先端が固定体６の後端面およびベースの後方部３１の摺接面よりも後方位置まで後退させることができる長さに設定されている。
従って、工具で強制後退用爪部３７ｂの先端を係止し、コイルバネ３８の付勢力に抗しストッパーピン３７を後退させて、ストッパーピン３７の先端の位置を、少なくとも固定体６の後端面と後方部３１の摺接面の当接位置にまで移動させることで、ピンタンブラー錠２とベース３との結合を解除でき、ピンタンブラー錠２が反時計方向に回動可能となり、ピンタンブラー錠２の係合突部１５が切欠窓３４に沿って摺動でき、次いで、案内溝３３に沿って軸方向に摺動させることができる。
【００３９】
ベースの後方部３１には、左右に取付け用のフランジ４１、４１が張り出しており、該フランジには取り付け孔４２、４２が穿設されている。
【００４０】
前述したように図１はピンタンブラー錠２がベース３に結合された状態であり、係合突部１５が切欠窓３４に係合し、ストッパーピン３７の先端がコイルバネ３８の付勢力によって戻しピン２７の後端に当接して固定体６の貫通孔２５内まで侵入し、戻しピン２７の先端が回転部１７の後端面に当接しており、ケース５の軸線、回転部１７の軸線、錠軸１８の軸線、固定体６の軸線、ベース３の軸線、ジョイント４の軸線は一致し共通した軸線となっている。そして、コイルバネ２３の付勢力によってアンダーピン２４を介しコードピン１０の先端がケース５の前面部の内向きフランジ部９の後面に当接している。
【００４１】
この状態において、図１１に示す通常操作用の鍵５０を使用して解錠等を行うことができる。図１１に示すように鍵５０は円筒形をしており、その外周面には先端から各コードピンを押圧するためのカム溝５１Ａ〜５１Ｅがコードピンの数に対応する数形成されている。これらのカム溝の深さは各コードピン１０Ａ〜１０Ｅの長さに応じて設定されており、鍵５０をピンタンブラー錠２の鍵挿入口８に差し込みコードピン１０Ａ〜１０Ｅをコイルバネの付勢力に抗し押し込んだ際、コードピン１０Ａ〜１０Ｅの後端とアンダーピン２４Ａ〜２４Ｅの先端の当接位置が回転体７の回転部１７の後端面と固定体６の前端面の摺接位置に一致し、回転体７の回転が可能となり、解錠等の状態とすることができるように形成されている。
【００４２】
また、鍵５０の先端部の外周には抜け防止用突起５２が突設され、内周の前記抜け防止用突起５２の反対位置には、回転力伝達用突起５３が突設されている。ピンタンブラー錠２の鍵係合部１９の切欠凹溝２０が図２に示す状態において、鍵の抜け防止用突起５２を内向きフランジ部９の凹部１１に、回転力伝達用突起５３を回転体７の鍵係合部の切欠凹溝２０に合致するように鍵５０を押し込むと、カム溝５１の前記した作用により鍵の回転が可能となり（図１２（ａ）参照）、抜け防止用突起５２がフランジ部９の裏面に当たって鍵の抜けを防止しつつ回転し、一方、回転力伝達用突起５３が回転体７の鍵係合部の切欠凹溝２０と係合して回転体７に回転力を与える。図１２（ｂ）は、反時計方向に１ピッチ鍵５０を回転させた状態を示す。なお、図１２においては、ストッパーピン３７の強制後退用爪部３７ｂ等は省略している。
このようにして、この鍵５０を回転することで、例えば、遊技機の扉に取着されたピンタンブラー錠装置によって扉の解錠等を行うことができる。
【００４３】
次に、上記構成のピンタンブラー錠装置の組立、および、該錠装置におけるピンタンブラー錠とベースとの分離操作を説明する。
ピンタンブラー錠装置１の組み立て操作を図１３に示す（図においては、ストッパーピン３７の強制後退用爪部等は省略している。）。先ず、ピンタンブラー錠の係合突部１５を案内溝３３に係合させ、ピンタンブラー錠を案内溝に沿って摺動させて切欠窓３４の位置にまで到達させると、固定体６の後端面が後方部３１の摺接面と当接し、図１３（ａ）に示されるようにストッパーピン３７が後方に押し戻される。そして、ピンタンブラー錠２を時計方向（図１３（ｂ）における矢印方向）に回動させ、係合突部１５を切欠窓３４に沿って摺動させ、固定体６の貫通孔２５と後方部３１のピン孔３６とが連通する位置に到達すると、ストッパーピン３７の先端部がコイルバネ３８の付勢力により貫通孔２５に侵入し、図１３（ｂ）に示すようにストッパーピン３７の先端が戻しピン２７の後端に当接しピンタンブラー錠２がベース３に結合し、ピンタンブラー錠装置１を組み立てることができる。
【００４４】
図１４は、ピンタンブラー錠装置１を、施錠装置４５を介して遊技機の前扉４４に取着した状態を示す部分側面図であり、図１５は遊技機の斜視図である。図１４、図１５の遊技機はパチンコ機を示している。
図１４に示されるように、ピンタンブラー錠２のジョイント４には、カム板４８が螺着されており、ベースは、フランジ４１の取り付け孔４２を介して施錠装置４５にネジ固定されている。図１５に示されているように、施錠装置４５は前扉４４に装着されている。施錠装置４５が装着された前扉４４は、本体枠４３に対し蝶番によって水平後方に開閉可能とされ、施錠装置４５の鉤部４６、４６が本体枠４３の内側に設けられた受け金具（図示せず）と係合することで、前扉４４が本体枠４３に対し施錠可能となっており、通常操作用の鍵５０によるキー操作でカム板４８を回動し、施錠装置４５の鉤部４６、４６と受け金具との係合を解除して解錠することで、前扉４４が本体枠４３に対し開放できるようになっている。
【００４５】
このような遊技機を撤去して、新たな遊技機を導入する際、撤去する遊技機の前扉４４からピンタンブラー錠装置１を取り外し、ピンタンブラー錠２とベース３を分離する操作を、図１６のピンタンブラー錠装置の部分展開図とともに説明する。なお、図１６においては、ストッパーピン３７の強制後退用爪部３７ｂ等は省略している。
図１６（ａ）は、前扉から取り出した状態のピンタンブラー錠装置の部分展開図である。
図１６（ａ）に示す状態において、強制後退用爪部３７ｂの先端にドライバー等の工具を係止して、コイルバネ３８の付勢力に抗しストッパーピン３７を後退させると、ストッパーピン３７の先端は、貫通孔２５に侵入して戻しピンの後端と当接した状態から、固定体６の後端面およびベースの後方部３１の摺接面よりも後方位置にまで到る（図１６（ｂ）参照）。
【００４６】
そのような位置において、ピンタンブラー錠２は、固定体６の後端面でベース３の後方部の摺接面に摺接して回転可能な状態となる。そこで、カム板４８を持って、反時計方向に回転させると、ジョイント４を介し錠軸１８、ひいては、ピンタンブラー錠２がその軸線を中心に反時計方向（図１６（ｃ）における矢印方向）に回動し、その係合突部１５は前記ベース３の切欠窓３４に沿って摺動する。これにより、ピンタンブラー錠２とベース３との結合が解除されることになる。この状態となると、強制後退用爪部３７ｂから工具を外しても、ピンタンブラー錠２は引き続き回動させることができ、係合突部１５がベース３の案内溝３３に沿って摺動できる位置にまで回動させる（図１６（ｃ）参照）。その位置で、カム板４８を前方に押すと、ジョイント４を介し錠軸１８、ひいては、ピンタンブラー錠２がベース３の案内溝３３に沿ってその軸線方向に摺動し、ベース３から分離される。
【００４７】
このような構造のピンタンブラー錠装置１によれば、第１鍵および第２鍵を使用することなく、迅速かつ容易に、ピンタンブラー錠２をベース３から分離することができる。
なお、ピンタンブラー錠の反時計方向への回動は、カム板を持って行うことに限られず、例えば、通常操作用の鍵５０を使用してもよい。
【００４８】
このようにして、ベース３から分離されたピンタンブラー錠２を、新たに導入する遊技機に取着されているメーカー錠の形状に相応するものとして別途用意されたベース（例えば、撤去するピンタンブラー錠装置のベースよりも長いベースの場合）に収容して、新たに導入する遊技機に使用するピンタンブラー錠装置１として組み立てる場合の組み立て操作は、前述したピンタンブラー錠装置１の組み立て操作と同様にして行えばよいことから、説明は省略する。
そして、このようにして組み立てられたピンタンブラー錠装置１を新たに導入する遊技機に取着されていたメーカー錠を取り外して交換すればよい。
このように、ピンタンブラー錠２を新たに導入する遊技機のピンタンブラー錠装置１に継続して再使用することができ、新たに導入する遊技機に適したベース３を別途購入すればよく、安価となる。
【００４９】
なお、このピンタンブラー錠装置１は、通常操作用の鍵が紛失したり盗難に遭ったりした時、扉に取り付けたまま表側からピンタンブラー錠２とベース３とを交換用の第１鍵、第２鍵を使用して分離することもできることは、いうまでもなく、その操作については、特許文献１に記載されたとおりである。
【００５０】
ピンタンブラー錠装置におけるピンタンブラー錠とベースとの結合構造としては、上記した構造に限られるものではなく、各種の構造が採用可能である。
【００５１】
図１７にさらに他の実施の形態のピンタンブラー錠装置６０を示す。この装置は、ピンタンブラー錠６１のケース６２を後方まで延長し、該ケース６２の外側面に係合突部６３、６３を突設したものであり、そのため、ベース６４の前方部の前端縁から内側壁に前記係合突部の摺動する案内溝６５、６５を形成したものである。
【００５２】
その他の構造は図１〜図１０と相違がなく、使用する鍵も図１１と同様であり、撤去する遊技機に取着していたピンタンブラー錠装置を取り外し、ベースからピンタンブラー錠を分離する操作、ベースから分離されたピンタンブラー錠を、別途用意された新たに導入する遊技機に取着されているメーカー錠の形状に相応するベースに収容して、新たに導入する遊技機に使用するピンタンブラー錠装置とする組み立て操作等も、図１〜図１０に示したピンタンブラー錠装置のそれと同様なことから、詳細な説明は省略する。
なお、係合突部は固定体とケースの両方に連続した形状に設けるようにしてもよい。
【００５３】
図１８にさらに他の実施の形態のピンタンブラー錠装置７０を示す。この装置は、ピンタンブラー錠７１のケース７２を後方まで延長し、該ケース７２の外側面に係合溝７３、７３を凹設したものであり、そのため、ベース７４の前方部の内側壁から係合ピン７５、７５を突出させたものである。具体的には、前記係合溝７３、７３は、ケース７２の後端から凹設された軸線と平行な溝部（第１溝部）とこれに直交する所定長さの溝部（第２溝区）が連なった逆Ｌ字状をしている。
【００５４】
その他の構造は図１〜図１０と相違がなく、使用する鍵も図１１と同様であり、撤去する遊技機に取着していたピンタンブラー錠装置を取り外し、ベースからピンタンブラー錠を分離する操作、ベースから分離されたピンタンブラー錠を、別途用意された新たに導入する遊技機に取着されているメーカー錠の形状に相応するベースに収容して、新たに導入する遊技機に使用するピンタンブラー錠装置とする組み立て操作等も、図１〜図１０に示したピンタンブラー錠装置のそれと同様なこと、および、発明の効果における記載からも明らかなことから、詳細な説明は省略する。
なお、前述したように係合溝をケースに凹設することに代え、固定体の後方部をケースの外径と同一とし、ここに係合溝を凹設するようにしてもよく、また、係合溝を、固定体とケースの両方に連続して設けるようにしてもよい。
【００５５】
図１９にさらに他の実施の形態のピンタンブラー錠装置８０を示す。この装置８０は、ベース後端部にフランジを設けた構造に代え、ベース８１後端部から一対の差込片８１ａ、８１ａを突設させ、差込片を、例えば、パチンコ機やパチスロ機の施錠装置の挿入孔に差し込んで固定できるようにしたものである。
【００５６】
その他の構造は図１〜図１０と相違がなく、使用する鍵も図１１と同様であり、撤去する遊技機に取着していたピンタンブラー錠装置を取り外し、ベースからピンタンブラー錠を分離する操作、ベースから分離されたピンタンブラー錠を途用意された新たに導入する遊技機に取着されているメーカー錠の形状に相応する別ベースに収容して、新たに導入する遊技機に使用するピンタンブラー錠装置とする組み立て操作等も、図１〜図１０に示したピンタンブラー錠装置のそれと同様なことから、詳細な説明は省略する。
なお、図１９に示すピンタンブラー錠装置８０において、その差込片を、フランジ板の挿入孔に差し込んでこれに固定するようにしてもよく、この場合は、図１〜図１０に示すピンタンブラー錠装置に類似した状のものとなる。
【００５７】
図２０〜図２９に、この発明のピンタンブラー錠装置のさらに他の実施の形態を示す。
このピンタンブラー錠装置１００は、概略、ベース１０３の後方部１３１に小径段部１３１ａが形成され、該小径段部１３１ａに後述する接続筒１４０を連結ピン１４５、１４５を介して連結できるようになっており、ベース１０３の小径段部１３１ａには、ベースの軸線と平行で後方部１３１の後端からピン孔１３６の大径部に達し、大径部の先端までに到るガイド用スリット１３５ｂが形成されている。
また、小径段部１３１ａには、連結ピン１４５、１４５の嵌挿孔１３１ｂ、１３１ｂが穿設されている。その他は、図１〜図１０に示すピンタンブラー錠装置１と同様であることから、同一の構成には、同一番号を付して詳細な説明は省略する。
【００５８】
接続筒１４０は、例えば、パチスロ機のように前扉が厚い場合に好適に用いられるが、パチスロ機に限定されるものではない。
図２９に示すように、ピンタンブラー錠装置１００では、ジョイント１３９は小径部の長いものを使用しており、接続筒１４０の後端から所定長さ延出されるようになっている（なお、図２９等においては、ジョイントは、その小径部の一部を省略している。）。接続筒１４０の先端側には、軸線に平行な切欠１４１が形成されており、ストッパーピン３７の大径部から突設された強制後退用爪部３７ｂのスライドを可能としている。接続筒１４０には、連結ピン１４５の嵌挿孔１４３、１４３が穿設されている。
【００５９】
ピンタンブラー錠装置１００において、使用する鍵も図１１と同様であり、撤去する遊技機に取着していたピンタンブラー錠装置を取り外し、ベースからピンタンブラー錠を分離する操作、ベースから分離されたピンタンブラー錠を、別途用意された新たに導入する遊技機に取着されているメーカー錠の形状に相応するベースに収容して、新たに導入する遊技機に使用するピンタンブラー錠装置とする組み立て操作等も、図１〜図１０に示したピンタンブラー錠装置のそれと同様なことから、詳細な説明は省略する。
【００６０】
また、図３０に示すように、接続筒１４０の切欠１４１の左右を削り落として平坦部を形成してもよい。これによれば、ピンタンブラー錠装置１００に接続筒１４０を接続させたとき、強制後退用爪部３７ｂの頂部が接続筒１４０より露出し、指で引っ掛け易くなり、強制後退用爪部３７ｂの後退を容易に行うことができる。
また、接続筒は、図２９、図３０に示されるようなフランジを備えたものに限られず、接続筒の後端部から一対の差込片を突設させ、差込片を、例えば、パチスロ機の施錠装置の挿入孔に差し込んで固定するようにしてもよいし、差込片を、フランジ板の挿入孔に差し込んでこれに固定するようにしてもよい。
【００６１】
ストッパーピンとしては、図３１に示すように大径部１３７にバネ受け凹部１３７ｅを形成し、コイルバネを挿入するようにしたストッパーピン１３７であってもよい。
また、ストッパーピンの大径部の側方から突設させた強制後退用爪部の外面に、例えば、ローレット等による凹凸を形成し、凹凸に工具を係止させたり、指の腹との摩擦を大きくして、指の爪でストッパーピンを後退させることに代え、指の腹でストッパーピンの後退を行うようにしてもよい。
また、ストッパーピンの大径部の側方から突設させた強制後退用爪部は、スライド用溝を摺動する首部と、工具等との係止しやすい形状の頭部とからなるものであってもよく、その場合、例えば、頭部が球形で、首部が円柱状となったもの等各種の形状が採用できる。
【００６２】
ピンタンブラー錠装置の構造としては、以上に限定されるものではなくさらに各種の変更が可能である。
すなわち、ベースの前方部の形状も円筒状に限られず、また、その長さもピンタンブラー錠の前面部を除き全体をほぼ収容する程長くなく、例えば、ピンタンブラー錠の後方部を収容するようにしてもよいものである。
また、ピンタンブラー錠のコードピン等の本数も図に示した数に限定されるものではなく、これよりも多くてもまた少なくてもよい。戻しピンとアンダーピンの固定体への配設位置も図に示した構造に限定されるものではなく、適宜変更が可能である。
【００６３】
また、ピンタンブラー錠とベースの結合を解除するためのコードピンと戻しピンとの位置関係も前述したような１ポジションとすることに限られず、ピンタンブラー錠とベースとの結合を解除するためのコードピンと戻しピンを当接させるための回転体の回転方向も前述した方向だけに限定されず逆方向であってもよい。
また、戻しピンを付勢するためのコイルバネは必ずしも必要とされるものではないが、このコイルバネを備えることで、戻しピンが貫通孔から不用意に露出したりしないことになり好ましい。
【００６４】
また、ピンタンブラー錠にベースとの係合突起や係合溝をピンタンブラー錠に対向して一対設けることに限られず、一対以上であってもよく、対向していなくてもよく、場合によっては、係合突起や係合溝は単数であってもよい。
また、回転体の錠軸を延長したものとし、該錠軸の端部が適宜のロック機構の部材に嵌合するようにしたりして、ジョイントを省略するようにすることも可能である。
また、ジョイントの後端部に雌ネジ孔を設けて、カム板等をネジ固定する構造に代え、雌ネジ孔を形成せず、ジョイントの後端部を打ち広げてカム板等を固定するようにしてもよい。
【００６５】
このピンタンブラー錠装置は、遊技機の扉に用いるだけでなく、各種の製品、例えば、自動販売機、机の引き出し、ロッカー、住宅のドア、自動車のドア等各種の分野において有効に活用することができる。
【図面の簡単な説明】
【００６６】
【図１】この発明のピンタンブラー錠装置の実施の一形態を示す縦断面図である。
【図２】図１に示すピンタンブラー錠装置の平面図である。
【図３】図１に示すピンタンブラー錠装置のＡ−Ａ線断面図である。
【図４】図１に示すピンタンブラー錠装置の分解斜視図である。
【図５】図１に示すピンタンブラー錠装置の正面図である。
【図６】図１に示すピンタンブラー錠装置の左側面図である。
【図７】図１に示すピンタンブラー錠装置の底面図である。
【図８】図１に示すピンタンブラー錠装置のベースの平面図である。
【図９】図１に示すピンタンブラー錠装置のベースの縦断面図である。
【図１０】図１に示すピンタンブラー錠装置のストッパーピンであって、（ａ）は正面図、（ｂ）は左側面図、（ｃ）は底面図である。
【図１１】図１に示すピンタンブラー錠装置において通常操作用の鍵の部分斜視図である。
【図１２】図１に示すピンタンブラー錠装置の通常操作用の鍵による解錠操作時の動作を示す部分断面展開図である。
【図１３】図１に示すピンタンブラー錠装置の組立時の動作を示す部分断面展開図である。
【図１４】図１に示すピンタンブラー錠装置をパチンコ機の前扉に装着した状態の部分側面図である。
【図１５】図１に示すピンタンブラー錠装置をパチンコ機の前扉に装着した状態を示す斜視図である。
【図１６】図１に示すピンタンブラー錠装置におけるピンタンブラー錠とベースとの分離時の動作を示す部分断面展開図である。
【図１７】この発明のピンタンブラー錠装置の他の実施の形態を示す分解斜視図である。
【図１８】この発明のピンタンブラー錠装置のさらに他の実施の形態を示す分解斜視図である。
【図１９】この発明のピンタンブラー錠装置のさらに他の実施の形態を示す分解斜視図である。
【図２０】この発明のピンタンブラー錠装置のさらに他の実施の形態を示す縦断面図である。
【図２１】図２０に示すピンタンブラー錠装置の平面図である。
【図２２】図２０に示すピンタンブラー錠装置のＢ−Ｂ線断面図である。
【図２３】図２０に示すピンタンブラー錠装置の分解斜視図である。
【図２４】図２０に示すピンタンブラー錠装置の正面図である。
【図２５】図２０に示すピンタンブラー錠装置の左側面図である。
【図２６】図２０に示すピンタンブラー錠装置の底面図である。
【図２７】図２０に示すピンタンブラー錠装置のベースの平面図である。
【図２８】図２０に示すピンタンブラー錠装置のベースの縦断面図である。
【図２９】図２０に示すピンタンブラー錠装置に接続筒を装着する構造を示す分解斜視図である。
【図３０】図２０に示すピンタンブラー錠装置に他例の接続筒を装着する構造を示す分解斜視図である。
【図３１】この発明のピンタンブラー錠装置に使用するストッパーピンの他の実施の形態を示し、（ａ）は正面図、（ｂ）は左側面図、（ｃ）は底面図である。
【符号の説明】
【００６７】
１  ピンタンブラー錠装置
２  ピンタンブラー錠
３  ベース
５  ケース
６  固定体
７  回転体
２７  戻しピン
３５ａ  縦溝
３５ｂ  ガイド用スリット
３７  ストッパーピン
３７ｂ   強制後退用爪部
【図１】
0004690154.tif 000002
【図２】
0004690154.tif 000003
【図３】
0004690154.tif 000004
【図４】
0004690154.tif 000005
【図５】
0004690154.tif 000006
【図６】
0004690154.tif 000007
【図７】
0004690154.tif 000008
【図８】
0004690154.tif 000009
【図９】
0004690154.tif 000010
【図１０】
0004690154.tif 000011
【図１１】
0004690154.tif 000012
【図１２】
0004690154.tif 000013
【図１３】
0004690154.tif 000014
【図１４】
0004690154.tif 000015
【図１５】
0004690154.tif 000016
【図１６】
0004690154.tif 000017
【図１７】
0004690154.tif 000018
【図１８】
0004690154.tif 000019
【図１９】
0004690154.tif 000020
【図２０】
0004690154.tif 000021
【図２１】
0004690154.tif 000022
【図２２】
0004690154.tif 000023
【図２３】
0004690154.tif 000024
【図２４】
0004690154.tif 000025
【図２５】
0004690154.tif 000026
【図２６】
0004690154.tif 000027
【図２７】
0004690154.tif 000028
【図２８】
0004690154.tif 000029
【図２９】
0004690154.tif 000030
【図３０】
0004690154.tif 000031
【図３１】
0004690154.tif 000032